(57)【要約】【課題】電源電圧変動の影響を受けることなく、仕上がりの良好な調理ができると共に、蒸気発生量の増加による水不足を防止できる蒸気調理器を提供する。【解決手段】ヒータ部４２により蒸気を発生する蒸気発生装置からの蒸気を蒸気昇温装置により昇温し、その蒸気昇温装置から加熱室に供給される蒸気によって被加熱物を加熱する。このとき、電源電圧センサ８３により検出された電源電圧に基づいて、制御装置８０の電力制御部８０aにより蒸気発生装置のヒータ部４２に投入する電力を制御する。【選択図】図４
2005351518.tif 000002
【特許請求の範囲】
【請求項１】
ヒータ部により蒸気を発生する蒸気発生装置と、
上記蒸気発生装置からの蒸気を昇温する蒸気昇温装置と、
上記蒸気昇温装置から供給される蒸気によって被加熱物を加熱するための加熱室と、
電源電圧を監視する電源電圧監視部と、
上記電源電圧監視部により得られた電源電圧に基づいて、上記蒸気発生装置のヒータ部に投入する電力を制御する制御装置とを備えたことを特徴とする蒸気調理器。
【請求項２】
請求項１に記載の蒸気調理器において、
上記制御装置は、蒸気加熱の調理条件が同じときの投入電力が略同一になるように上記蒸気発生装置のヒータ部に投入する電力を上記調理条件に基づいて制御することを特徴とする蒸気調理器。
【請求項３】
請求項１または２に記載の蒸気調理器において、
上記制御装置は、上記電源電圧監視部により得られた電源電圧が所定電圧以上になると、上記蒸気発生装置のヒータ部に投入する電力を所定比率だけ下げることを特徴とする蒸気調理器。
【請求項４】
請求項１乃至３のいずれか１つに記載の蒸気調理器において、
上記加熱室内の温度を検出する温度センサを備え、
上記電源電圧監視部は、上記温度センサにより検出された上記加熱室内の温度に基づいて、蒸気加熱の開始時の上記加熱室内の温度上昇の勾配により電源電圧を推定することを特徴とする蒸気調理器。
【請求項５】
請求項１乃至３のいずれか１つに記載の蒸気調理器において、
上記蒸気発生装置は、上記ヒータ部によりポット内の水を加熱して蒸気を発生させるものであって、
上記ポット内の水量を検出する水量センサを備え、
上記電源電圧監視部は、上記水量センサにより検出された上記ポット内の水量に基づいて、蒸気発生時の上記ポット内の水量の減少の程度により電源電圧を推定することを特徴とする蒸気調理器。
【発明の詳細な説明】
【技術分野】
【０００１】
この発明は、蒸気調理器に関する。
【背景技術】
【０００２】
従来、被加熱物を加熱する加熱手段を備えた調理器として高周波加熱装置がある(例えば、特開２００３−３０８９６１号公報(特許文献１)参照)。この高周波加熱装置は、調理途中の電圧変動に影響されないように、電源電圧を検出して、その電源電圧に基づいて調理時間を補正している。
【０００３】
本出願人は、上記高周波加熱装置よりも調理仕上がりの良好な過熱蒸気を用いた蒸気調理器を提案しているが、調理途中の電圧変動により蒸気発生装置の蒸気発生量が変動し、調理仕上がりが安定しないという問題や、電源電圧が高くなって蒸気発生量が増えて水の消費量が多くなるために水不足になる恐れがあるという問題がある。なお、この蒸気調理器は、この発明を理解しやすくするために説明するものであって、公知技術ではなく、従来技術ではない。
【０００４】
このような電源電圧変動の影響を解消するために、上記高周波加熱装置と同様に、電源電圧変動に応じて調理時間を補正することが考えられるが、過熱蒸気を用いて加熱調理を行う蒸気調理器では、調理時間そのものが変わることで調理品質に影響を及ぼしてしまうという問題がある。
【特許文献１】特開２００３−３０８９６１号公報
【発明の開示】
【発明が解決しようとする課題】
【０００５】
そこで、この発明の目的は、電源電圧変動の影響を受けることなく、仕上がりの良好な調理ができると共に、蒸気発生量の増加による水不足を防止できる蒸気調理器を提供することにある。
【課題を解決するための手段】
【０００６】
上記目的を達成するため、この発明の蒸気調理器は、ヒータ部により蒸気を発生する蒸気発生装置と、上記蒸気発生装置からの蒸気を昇温する蒸気昇温装置と、上記蒸気昇温装置から供給される蒸気によって被加熱物を加熱するための加熱室と、電源電圧を監視する電源電圧監視部と、上記電源電圧監視部により得られた電源電圧に基づいて、上記蒸気発生装置のヒータ部に投入する電力を制御する制御装置とを備えたことを特徴とする。
【０００７】
上記構成の蒸気調理器によれば、上記蒸気発生装置により発生させた蒸気を蒸気昇温装置により昇温して過熱蒸気とし、その過熱蒸気を加熱室内に供給することにより加熱室内の被加熱物を加熱する。このとき、上記電源電圧監視部により得られた電源電圧に基づいて、上記制御装置によって蒸気発生装置のヒータ部に投入する電力を制御する。そうして、例えば、電源電圧が高いときはヒータ部に投入する電力を小さくし、電源電圧が低いときはヒータ部に投入する電力を大きくすることによって、電源電圧変動の影響を受けることなく、仕上がりの良好な調理ができると共に、電源電圧が定格よりも高くなって蒸気消費量が増加することによる水不足を防止できる。
【０００８】
また、一実施形態の蒸気調理器は、上記制御装置が、蒸気加熱の調理条件が同じときの投入電力が略同一になるように上記蒸気発生装置のヒータ部に投入する電力を上記調理条件に基づいて制御することを特徴とする。
【０００９】
上記実施形態の蒸気調理器によれば、上記制御装置により、蒸気加熱の調理条件が同じときの投入電力が略同一になるように蒸気発生装置のヒータ部に投入する電力を上記調理条件に基づいて制御することによって、調理時間を変えることなく蒸気の発生量のばらつきを抑制することができる。つまり、調理内容に応じてヒータ部に投入する電力は異なるが、同じ調理条件において投入電力を略同一にすることで、その調理により消費される蒸気量を一定に保つことで、調理の仕上がり状態が安定すると共に、蒸気発生量が増えて水不足になるのを防止できる。
【００１０】
また、一実施形態の蒸気調理器は、上記制御装置が、上記電源電圧監視部により得られた電源電圧が所定電圧以上になると、上記蒸気発生装置のヒータ部に投入する電力を所定比率だけ下げることを特徴とする。
【００１１】
上記実施形態の蒸気調理器によれば、上記電源電圧監視部により得られた電源電圧が所定電圧以上になると、上記蒸気発生装置のヒータ部に投入する電力を所定比率だけ下げる簡単な制御によって、電源電圧変動の影響がなくかつ水不足の発生しない仕上がりの良好な調理ができる。したがって、ヒータ部の電力制御回路などの構成を簡略化でき、コストを低減できる。
【００１２】
また、一実施形態の蒸気調理器は、上記加熱室内の温度を検出する温度センサを備え、上記電源電圧監視部は、上記温度センサにより検出された上記加熱室内の温度に基づいて、蒸気加熱の開始時の上記加熱室内の温度上昇の勾配により電源電圧を推定することを特徴とする。
【００１３】
上記実施形態の蒸気調理器によれば、加熱室内の温度を検出する温度センサを利用して、蒸気加熱の開始時の加熱室内の温度上昇の勾配により上記電源電圧監視部が電源電圧を推定する。つまり、電源電圧が高くなるほど、ヒータ部への投入電力が大きくなって、蒸気加熱の開始時の加熱室内の温度上昇の勾配が大きくなるという特性を利用して、その温度上昇の勾配に応じて電源電圧を推定するのである。これにより、別に電源電圧を検出するセンサを設ける必要がなくなり、コストを低減できる。
【００１４】
また、一実施形態の蒸気調理器は、上記蒸気発生装置は、上記ヒータ部によりポット内の水を加熱して蒸気を発生させるものであって、上記ポット内の水量を検出する水量センサを備え、上記電源電圧監視部は、上記水量センサにより検出された上記ポット内の水量に基づいて、蒸気発生時の上記ポット内の水量の減少の程度により電源電圧を推定することを特徴とする。
【００１５】
上記実施形態の蒸気調理器によれば、上記ポット内の水量を検出する水量センサを利用して、蒸気発生時の水量センサにより検出されたポット内の水量の減少の程度により上記電源電圧監視部が電源電圧を推定する。つまり、電源電圧が高くなるほど、ヒータ部への投入電力が大きくなって、蒸気発生時のポット内の水量の減少の程度が大きくなるという特性を利用して、その温度上昇の勾配に応じて電源電圧を推定するのである。これにより、別に電源電圧を検出するセンサを設ける必要がなくなり、コストを低減できる。
【発明の効果】
【００１６】
以上より明らかなように、この発明の蒸気調理器によれば、電源電圧変動の影響を受けることなく、仕上がりの良好な調理を実現することができ、電源電圧が定格よりも高くなっても蒸気消費量の増大がなく水不足の発生を防止することができる。
【発明を実施するための最良の形態】
【００１７】
以下、この発明の蒸気調理器を図示の実施の形態により詳細に説明する。
【００１８】
図１はこの発明の実施の一形態の蒸気調理器１の外観斜視図であり、直方体形状のキャビネット１０の正面の上部に操作パネル１１を設け、上記キャビネット１０の正面の操作パネル１１の下側に、下端側の辺を中心に回動する扉１２を設けている。上記扉１２の上部にハンドル１３を設け、上記扉１２に耐熱ガラス製の窓１４を設けている。
【００１９】
また、図２は上記蒸気調理器１の扉１２を開いた状態の外観斜視図を示しており、上記キャビネット１０内に直方体形状の加熱室２０が設けられている。上記加熱室２０は、扉１２に面する正面側に開口部２０aを有し、加熱室２０の側面,底面および天面をステンレス鋼板で形成している。また、上記扉１２は、加熱室２０に面する側をステンレス鋼板で形成している。上記加熱室２０の周囲および扉１２の内側に断熱材(図示せず)を配置して、加熱室２０内と外部とを断熱している。
【００２０】
また、上記加熱室２０の底面に、ステンレス製の受皿２１が置かれ、受皿２１上に被加熱物を載置するためのステンレス鋼線製のラック２４(図３に示す)が置かれる。さらに、上記加熱室２０の両側面に、長手方向が略水平の略長方形状の側面蒸気吹出口２２(図２では一方のみを示す)を設けている。
【００２１】
図３は上記蒸気調理器１の基本構成を示す概略構成図を示している。図３に示すように、上記蒸気調理器１は、加熱室２０と、蒸気用の水を貯める水タンク３０と、上記水タンク３０から供給された水を蒸発させる蒸気発生装置４０と、上記蒸気発生装置４０からの蒸気を加熱する蒸気昇温装置５０と、上記蒸気発生装置４０や蒸気昇温装置５０などを制御する制御装置８０とを備える。
【００２２】
上記加熱室２０内に置かれた受皿２１上に格子状のラック２４を載置し、そのラック２４の略中央に被加熱物９０が置かれる。
【００２３】
また、水タンク３０の下側に設けられた接続部３０aを、第１給水パイプ３１の一端に設けられた漏斗形状の受入口３１aに接続している。上記第１給水パイプ３１から分岐して上方に延びる第２給水パイプ３２の他端にポンプ３５の吸込側を接続し、そのポンプ３５の吐出側に第３給水パイプ３３の一端を接続している。また、上記第１給水パイプ３１から分岐して上方に延びる水位センサ用パイプ３８の上端に水タンク用水位センサ３６を配設している。さらに、上記第１給水パイプ３１から分岐して上方に延びる大気開放用パイプ３７の上端を後述する排気ダクト６５に接続している。
【００２４】
そして、上記第３給水パイプ３３は、垂直に配置された部分から略水平に屈曲するＬ字形状をしており、第３給水パイプ３３の他端に補助タンク３９を接続している。上記補助タンク３９の下端に第４給水パイプ３４の一端を接続し、その第４給水パイプ３４の他端を蒸気発生装置４０の下端に接続している。また、上記蒸気発生装置４０の第４給水パイプ３４が接続された下端に、排水バルブ７０の一端を接続している。そして、排水バルブ７０の他端に排水パイプ７１の一端を接続し、排水パイプ７１の他端に庫内排水口２９を接続している。上記排水パイプ７１は加熱室２０内に２ｍｍ以上突き出た状態で庫内排水口２９に接続している。さらに、上記ファンケーシング２６の最下部に排水パイプ７２の上端を接続し、排水パイプ７２の下端を排水パイプ７１に接続している。なお、上記補助タンク３９の上部は、大気開放用パイプ３７と排気ダクト６５を介して大気に連通している。
【００２５】
上記水タンク３０が接続されると、水タンク３０内の水は、水タンク３０と同水位になるまで大気開放用パイプ３７内に水が上昇する。上記水タンク用水位センサ３６につながる水位センサ用パイプ３８は先端が密閉されているため、水位は上がらないが、水タンク３０の水位に応じて水位センサ用パイプ３８の密閉された空間の圧力は大気圧から上昇する。この圧力変化を、水タンク用水位センサ３６内の圧力検出素子(図示せず)により検出することにより、水タンク３０内の水位が検出される。ポンプ３５の静止中の水位測定では、大気開放用パイプ３７は不要であるが、ポンプ３５の吸引圧力が直接圧力検出素子に働いて水タンク３０の水位検出の精度が低下するのを防止するため、開放端を有する大気開放用パイプ３７を用いている。
【００２６】
また、上記蒸気発生装置４０は、下側に第４給水パイプ３４の他端が接続されたポット４１と、上記ポット４１内の底面近傍に配置されたヒータ部４２と、上記ポット４１内のヒータ部４２の上側近傍に配置された水位センサ４３と、上記ポット４１の上側に取り付けられた蒸気吸引エジェクタ４４とを有している。そして、加熱室２０の側面上部に設けられた吸込口２５の外側にファンケーシング２６を配置している。上記ファンケーシング２６に配置された送風ファン２８により、加熱室２０内の蒸気は、吸込口２５から吸い込まれる。吸い込まれた蒸気は、第１パイプ６１を介して蒸気発生装置４０の蒸気吸引エジェクタ４４の入口側に送り込まれる。上記第１パイプ６１は、一端がファンケーシング２６に接続され、他端が蒸気吸引エジェクタ４４のインナーノズル４５の入口側に接続されている。
【００２７】
上記蒸気吸引エジェクタ４４は、インナーノズル４５の外側を包み込むアウターノズル４６を備えており、インナーノズル４５の吐出側がポット４１の内部空間と連通している。そして、上記蒸気吸引エジェクタ４４のアウターノズル４６の吐出側を第２パイプ６３の一端に接続し、その第２パイプ６３の他端に蒸気昇温装置５０を接続している。
【００２８】
上記ファンケーシング２６,第１パイプ６１,蒸気吸引エジェクタ４４,第２パイプ６３および蒸気昇温装置５０で、循環経路６０を形成している。また、上記加熱室２０の側面の下側に設けられた放出口２７に放出通路６４の一端を接続し、放出通路６４の他端を排気ダクト６５の一端に接続している。上記排気ダクト６５の他端に排気口６６を設けている。上記放出通路６４の排気ダクト６５側にラジエータ６９を外嵌して取り付けている。そして、上記循環経路６０を形成する第１パイプ６１との接続部を、排気通路６７を介して排気ダクト６５に接続している。上記排気通路６７の第１パイプ６１との接続側に、排気通路６７を開閉するダンパ６８を配置している。
【００２９】
また、上記蒸気昇温装置５０は、加熱室２０の天井側かつ略中央に、開口を下側にして配置された皿形ケース５１と、上記皿形ケース５１内に配置された第１蒸気加熱ヒータ５２と、上記皿形ケース５１内に配置された第２蒸気加熱ヒータ５３とを有している。上記皿形ケース５１の底面は、加熱室２０の天井面に設けられた金属製の天井パネル５４で形成されている。上記天井パネル５４には、複数の天井蒸気吹出口５５を形成している。また、上記天井パネル５４は、上下両面が塗装などにより暗色に仕上げられている。なお、使用を重ねることにより暗色に変色する金属素材や暗色のセラミック成型品によって天井パネル５４を形成してもよい。
【００３０】
さらに、上記蒸気昇温装置５０は、加熱室２０の左右両側に延びる蒸気供給通路２３(図３では一方のみを示す)の一端が夫々接続されている。そして、上記蒸気供給通路２３の他端は、加熱室２０の両側面に沿って下方に延び、加熱室２０の両側面かつ下側に設けられた側面蒸気吹出口２２に接続されている。
【００３１】
次に、図４に示す上記蒸気調理器１の制御ブロックについて説明する。
【００３２】
図４に示すように、制御装置８０には、送風ファン２８と、第１蒸気加熱ヒータ５２と、第２蒸気加熱ヒータ５３と、ダンパ６８と、排水バルブ７０と、ヒータ部４２と、操作パネル１１と、水タンク用水位センサ３６と、水位センサ４３と、加熱室２０(図３に示す)内の温度を検出する温度センサ８１と、加熱室２０内の湿度を検出する湿度センサ８２と、電源電圧監視部の一例としての電源電圧センサ８３と、ポンプ３５が接続されている。
【００３３】
上記制御装置８０は、マイクロコンピュータと入出力回路などからなり、水タンク用水位センサ３６,水位センサ４３,温度センサ８１および湿度センサ８２からの検出信号に基づいて、送風ファン２８,第１蒸気加熱ヒータ５２,第２蒸気加熱ヒータ５３,ダンパ６８,排水バルブ７０,ヒータ部４２,操作パネル１１およびポンプ３５を所定のプログラムに従って制御する。また、制御装置８０は、ヒータ部４２に投入する電力を制御する電力制御部８０aを有している。この電力制御部８０aは、トライアック等の位相制御により電力制御をしているが、断続制御などにより電力制御をしてもよい。
【００３４】
上記構成の蒸気調理器１において、操作パネル１１中の電源スイッチ(図示せず)が押されて電源がオンし、操作パネル１１の操作により加熱調理の運転を開始する。そうすると、まず、制御装置８０は、排水バルブ７０を閉ざして、ダンパ６８により排気通路６７を閉じた状態でポンプ３５の運転を開始する。上記ポンプ３５により水タンク３０から第１〜第４給水パイプ３１〜３４を介して蒸気発生装置４０のポット４１内に給水される。そして、上記ポット４１内の水位が所定水位に達したことを水位センサ４３が検出すると、ポンプ３５を停止して給水を止める。
【００３５】
次に、蒸気発生ヒータ４２を通電し、ポット４１内に溜まった所定量の水を蒸気発生ヒータ４２により加熱する。
【００３６】
次に、蒸気発生ヒータ４２の通電と同時、または、ポット４１内の水の温度が所定温度に達すると、送風ファン２８をオンすると共に、蒸気昇温装置５０の第１蒸気加熱ヒータ５２を通電する。そうすると、送風ファン２８は、加熱室２０内の空気(蒸気を含む)を吸込口２５から吸い込み、循環経路６０に空気(蒸気を含む)を送り出す。上記送風ファン２８に遠心ファンを用いているので、プロペラファンに比べて高圧を発生させることができる。さらに、送風ファン２８に用いる遠心ファンを直流モータで高速回転させることによって、循環気流の流速を極めて速くすることができる。
【００３７】
次に、上記蒸気発生装置４０のポット４１内の水が沸騰すると、飽和蒸気が発生し、発生した飽和蒸気は、蒸気吸引エジェクタ４４のところで循環経路６０を通る循環気流に合流する。上記蒸気吸引エジェクタ４４から出た蒸気は、第２パイプ６３を介して高速で蒸気昇温装置５０に流入する。
【００３８】
そして、上記蒸気昇温装置５０に流入した蒸気は、第１蒸気加熱ヒータ５２により加熱されて略３００℃(調理内容により異なる)の過熱蒸気となる。この過熱蒸気の一部は、下側の天井パネル５４に設けられた複数の天井蒸気吹出口５５から加熱室２０内の下方に向かって噴出する。また、過熱蒸気の他の一部は、蒸気昇温装置５０の左右両側に設けられた蒸気供給通路２３を介して加熱室２０の両側面の側面蒸気吹出口２２から噴出する。
【００３９】
これにより、上記加熱室２０の天井側から噴出した過熱蒸気が中央の被加熱物９０側に向かって勢いよく供給されると共に、加熱室２０の左右の側面側から噴出した過熱蒸気は、受皿２１に衝突した後、被加熱物９０の下方から被加熱物９０を包むように上昇しながら供給される。それによって、上記加熱室２０内において、中央部では吹き下ろし、その外側では上昇するという形の対流が生じる。そして、対流する蒸気は、順次吸込口２５に吸い込まれて、循環経路６０を通って再び加熱室２０内に戻るという循環を繰り返す。
【００４０】
このようにして上記加熱室２０内で過熱蒸気の対流を形成することにより、加熱室２０内の温度,湿度分布を均一に維持しつつ、蒸気昇温装置５０からの過熱蒸気を天井蒸気吹出口５５と側面吹出口２２から噴出して、ラック２４上に載置された被加熱物９０に効率よく衝突させることが可能となる。そうして、過熱蒸気の衝突により被加熱物９０を加熱する。このとき、上記被加熱物９０の表面に接触した過熱蒸気は、被加熱物９０の表面で結露するときに潜熱を放出することによっても被加熱物９０を加熱する。これにより、過熱蒸気の大量の熱を確実にかつ速やかに被加熱物９０全面に均等に与えることができる。したがって、むらがなく仕上がりよい加熱調理を実現することができる。
【００４１】
また、上記加熱調理の運転において、時間が経過すると、加熱室２０内の蒸気量が増加し、量的に余剰となった分の蒸気は、放出口２７から放出通路６４,排気ダクト６５を介して排気口６６から外部に放出される。このとき、放出通路６４に設けたラジエータ６９により放出通路６４を通過する蒸気を冷却して結露させることによって、外部に蒸気がそのまま放出されるのを抑制している。上記ラジエータ６９により放出通路６４内で結露した水は、放出通路６４内を流れ落ちて受皿２１に導かれ、調理により発生した水と共に調理終了後に処理する。
【００４２】
調理終了後、制御装置８０により操作パネル１１に調理終了のメッセージを表示し、さらに操作パネル１１に設けられたブザー(図示せず)により合図の音を鳴らす。それにより、調理終了を知った使用者が扉１２を開けると、制御装置８０は、扉１２が開いたことをセンサ(図示せず)により検知して、排気通路６７のダンパ６８を瞬時に開く。それにより、循環経路６０の第１パイプ６１が排気通路６７を介して排気ダクト６５に連通し、加熱室２０内の蒸気は、送風ファン２８により吸込口２５,第１パイプ６１,排気通路６７および排気ダクト６５を介して排気口６６から排出される。このダンパ動作は、調理中に使用者が扉１２を開いても同様である。したがって、使用者は、蒸気にさらされることなく、安全に被加熱物９０を加熱室２０内から取り出すことができる。
【００４３】
図５は上記制御装置８０により加熱処理を説明するフローチャートを示しており、以下、図５に従って制御装置８０の動作を説明する。
【００４４】
まず、蒸気調理器１の電源が投入された後に、加熱処理がスタートすると、ステップＳ１に進み、蒸気発生装置４０のヒータ部４２をオンする。このとき、ヒータ部４２に投入される電力は、電力制御部８０aにより定格の１００％とする。
【００４５】
次に、ステップＳ２に進み、蒸気昇温装置５０の第１蒸気加熱ヒータ５２をオンする。なお、調理内容に応じて、必要ならば第２蒸気加熱ヒータ５３もオンする。
【００４６】
次に、ステップＳ３に進み、電源電圧センサ８３により電源電圧を検出する。
【００４７】
次に、ステップＳ４に進み、ステップＳ３で検出した電源電圧が所定電圧以上か否かを判別して、電源電圧が所定電圧よりも高いときはステップＳ５に進み、電力制御部８０aによりヒータ部４２に投入される電力を定格の９０％として、ステップＳ７に進む。
【００４８】
一方、ステップＳ４で電源電圧が所定電圧以下であると判別すると、ステップＳ６に進み、電力制御部８０aによりヒータ部４２に投入される電力を定格の１００％として、ステップＳ７に進む。
【００４９】
次に、ステップＳ７で加熱処理が終了か否かを判別して、加熱処理が終了でないと判別すると、ステップＳ３に戻る一方、加熱処理が終了であると判別すると、ステップＳ８に進み、蒸気発生装置４０のヒータ部４２をオフにした後、ステップＳ９に進んで蒸気昇温装置５０の第１蒸気加熱ヒータ５２(および第２蒸気加熱ヒータ５３)をオフにして、この処理を終了する。
【００５０】
上記構成の蒸気調理器によれば、蒸気発生装置４０により発生させた蒸気を蒸気昇温装置５０により昇温して過熱蒸気とし、その過熱蒸気を加熱室２０内に供給することにより加熱室２０内の被加熱物９０を加熱するとき、電源電圧センサ８３により検出された電源電圧に基づいて、制御装置８０によって蒸気発生装置４０のヒータ部４２に投入する電力を制御する。そうして、電源電圧が高いときはヒータ部４２に投入する電力を小さくし、電源電圧が低いときはヒータ部４２に投入する電力を大きくすることによって、電源電圧変動の影響を受けることなく、仕上がりの良好な調理が実現することができる。また、電源電圧が定格よりも高くなっても蒸気消費量の増大がなく水不足の発生を防止することができる。
【００５１】
また、上記制御装置８０により、蒸気加熱の調理条件が同じときの投入電力が略同一になるように蒸気発生装置４０のヒータ部４２に投入する電力を調理条件に基づいて制御することによって、調理時間を変えることなくその調理により消費される蒸気量のばらつきを抑制することによって、調理の仕上がり状態が安定すると共に、蒸気発生量が増えて水不足になるのを防止することができる。
【００５２】
また、上記電源電圧センサ８３により検出された電源電圧が所定電圧以上になると、蒸気発生装置４０のヒータ部４２に投入する電力を所定比率１０％だけ下げることによって、簡単な制御で電源電圧変動の影響がなくかつ水不足の発生しない仕上がりの良好な調理ができる。したがって、ヒータ部４２の電力制御回路などの構成を簡略化でき、コストを低減することができる。
【００５３】
上記実施の形態では、電源電圧センサ８３に電圧センサを用いて電源電圧を検出したが、電源電圧監視部はこれに限らず、温度センサにより検出された加熱室内の温度に基づいて、蒸気加熱の開始時の加熱室内の温度上昇の勾配により電源電圧を推定してもよい(温度上昇の勾配が大きいほど電源電圧が高い)。この場合、別に電源電圧を検出するセンサを設ける必要がなく、コストを低減することができる。また、水位センサ４３を水量センサとして用いて、蒸気発生時のポット内の水量の減少の程度を検出することにより電源電圧を推定してもよい(水量の減少が早いほど電源電圧が高い)。
【図面の簡単な説明】
【００５４】
【図１】図１はこの発明の実施の一形態の蒸気調理器の外観斜視図である。
【図２】図２は上記蒸気調理器の扉を開いた状態の外観斜視図である。
【図３】図３は上記蒸気調理器の構成を示す概略構成図である。
【図４】図４は上記蒸気調理器の制御ブロックである。
【図５】図５は上記蒸気調理器の制御装置の処理を説明するフローチャートである。
【符号の説明】
【００５５】
１…蒸気調理装置
１１…操作パネル
１２…扉
１３…ハンドル
１４…窓
２０…加熱室
２１…受皿
２２…側面蒸気吹出口
２３…蒸気供給通路
２４…ラック
２５…吸込口
２６…ファンケーシング
２７…放出口
２８…送風ファン
２９…庫内排水口
３０…水タンク
３１…第１給水パイプ
３２…第２給水パイプ
３３…第３給水パイプ
３４…第４給水パイプ
３５…ポンプ
３６…水タンク用水位センサ
３９…補助タンク
４０…蒸気発生装置
４１…ポット
４２…ヒータ部
４３…水位センサ
４４…蒸気吸引エジェクタ
５０…蒸気昇温装置
５１…皿形ケース
５２…第１蒸気加熱ヒータ
５３…第２蒸気加熱ヒータ
６０…循環経路
６１…第１パイプ
６３…第２パイプ
６４…放出通路
６５…排気ダクト
６６…排気口
６７…排気通路
６８…ダンパ
６９…ラジエータ
７０…排水バルブ
７１,７２…排水パイプ
８０…制御装置
８０a…電力制御部
８１…温度センサ
８２…湿度センサ
８３…電源電圧センサ
９０…被加熱物
【図１】
2005351518.tif 000003
【図２】
2005351518.tif 000004
【図３】
2005351518.tif 000005
【図４】
2005351518.tif 000006
【図５】
2005351518.tif 000007